(57)【特許請求の範囲】
【請求項１】
支柱フレームと建具枠体の縦枠との間に、前記縦枠に装着され、且つ前記支柱フレームと前記縦枠との間の見付け方向の離間寸法を調整可能な取付姿勢調整具を介在させた状態で、前記支柱フレームに前記建具枠体を取り付けるための取付構造において、
前記支柱フレームは、その一つの面に開設され上下方向に延びるスリットを有し、
前記取付姿勢調整具は、前記スリット内に係合して、前記建具枠体を前記支柱フレームに建て付けた状態で保持する可撓性のある突起部を有すると共に、一端を前記縦枠に当接させた調整具本体と、当該調整具本体に対し前記建具枠体の見付け方向に螺合し、先端部を前記支柱フレームに当接させた調整ねじとを備えたことを特徴とする建具枠体の取付構造。
【請求項２】
前記縦枠は、前記取付姿勢調整具を装着するための装着部を有し、
前記調整具本体は、前記縦枠の小口から前記装着部に挿入装着可能な係合部を有し、
前記装着部と前記係合部とは、前記取付姿勢調整具が前記装着部に対し見付け方向に抜け落ちるのを防止できる係合構造としたことを特徴とする請求項１に記載の建具枠体の取付構造。
【請求項３】
前記縦枠には、前記取付姿勢調整具の調整ねじの螺設位置に対応させて、回転操作用の開口部が設けられていることを特徴とする請求項１または２に記載の建具枠体の取付構造。
【請求項４】
支柱フレームの一つの面に開設され上下方向に延びるスリット内に係合させて建具枠体を取り付ける際に、前記建具枠体の縦枠に装着して当該縦枠と前記支柱フレームとの間に介在させた、前記支柱フレームと前記縦枠との間の見付け方向の離間寸法を調整可能な取付姿勢調整具であって、
この取付姿勢調整具は、一端を前記縦枠に当接させた調整具本体と、
この調整具本体に突設した、前記支柱フレームのスリット内に係合して、前記建具枠体を前記支柱フレームに建て付けた状態で保持する可撓性のある突起部と、
前記調整具本体に対し前記建具枠体の見付け方向に螺合し、先端部を前記支柱フレームに当接させた調整ねじとを備えたことを特徴とする建具枠体の取付姿勢調整具。
【発明の詳細な説明】
【０００１】
【発明の属する技術分野】
本発明は、ユニットバスの壁開口に建具枠体を取り付けるための建具枠体の取付構造及び取付姿勢調整具に関するものである。
【０００２】
【従来の技術】
従来から、図６の横断面図に示すように、浴室ドアｄ等の障子をユニットバスの壁開口に取り付ける場合、壁開口の左右両側に立設させた二本の支柱フレーム５に、枠体ａを係合させて取り付けて仮設置した後、その枠体ａに障子を取り付ける方法がある。
【０００３】
枠体ａは、図示しない上枠、下枠ａ１、二本の縦枠ａ２とで方形に組まれており、縦枠ａ２の横断面形状は略Ｌ字状に形成され、その一端に折曲げ部ａ３が設けられている。また、支柱フレーム５の一側面には、上下方向に延びるスリット５１が開設され、その両側には鋭角な折返し部５２が形成されている。
【０００４】
そして、縦枠ａ２の折曲げ部ａ３を支柱フレーム５のスリット５１内に挿入し、折返し部５２に係合させて枠体ａの位置決めをした後、取付ビスｂによって支柱フレーム５に固定する。なお、支柱フレーム５のスリット５１には、壁パネルｅの折曲げ部ｅ１も係合されて枠体ａと面一に配置されおり、縦枠ａ２との間にはコーキング材ｆが詰められている。
【０００５】
上述のような方法によって浴室ドアｄ等の障子は壁開口に取り付けられるが、壁開口の仕上がり寸法や垂直度には大きなばらつきがあるため、枠体ａの取付姿勢を調整したうえで障子を固定する必要がある。そこで従来は、縦枠ａ２と支柱フレーム５との間に、主スペーサｃ１の他に調整スペーサｃ２を介在させて取付ビスｂで締結することによって、枠体ａの垂直度を調整し、枠体ａの縦横の枠パーツの交差角度を直角に調整していた。
【０００６】
【発明が解決しようとする課題】
上述のような調整作業は現場合わせで行われるため、異なる厚さの調整スペーサｃ２を交換しながら適当な厚さのものを探し出したり、調整スペーサｃ２の枚数を増減したりして行われる。そのため、調整作業には多くの手間を要する。
【０００７】
もっとも、支柱フレーム５に対し枠体ａが位置調整可能に取り付けられるようになっていれば、かかる問題は解消する。例えば、図示しないが、枠体および支柱フレームにそれぞれ離間方向に延びる取付片を形成し、この取付片同士を重ね合わせてねじ止めする構造をとれば、ねじ打ちも容易で且つ位置調整も可能になる。しかし、このようにすると、専用の支柱フレームを用意する必要があり、部品点数が増加する不具合が生ずる。また、これを回避すべく、枠体および支柱フレームとの間にアタッチメントに相当する部材を介在させても、同様に部品点数や組立工数が増加する不具合が生ずる。
【０００８】
本発明は、以上のような問題を解決するためになされたもので、枠体の取付姿勢の調整を容易かつ高精度に行うことができ、しかも部品点数や組立工数の増加を招くことがない、建具枠体の取付構造及び取付姿勢調整具を提供することを目的とする。
【０００９】
【課題を解決するための手段】
上記課題を解決するための手段として本発明は、支柱フレームと建具枠体の縦枠との間に、縦枠に装着され、且つ支柱フレームと縦枠との間の見付け方向の離間寸法を調整可能な取付姿勢調整具を介在させた状態で、支柱フレームに建具枠体を取り付けるための取付構造において、支柱フレームは、その一つの面に開設され上下方向に延びるスリットを有し、取付姿勢調整具は、スリット内に係合して、建具枠体を支柱フレームに建て付けた状態で保持する可撓性のある突起部を有すると共に、一端を縦枠に当接させた調整具本体と、当該調整具本体に対し建具枠体の見付け方向に螺合し、先端部を支柱フレームに当接させた調整ねじとを備えたことを特徴とする建具枠体の取付構造を提供する。
【００１０】
この構成によれば、調整ねじを回転させると、調整具本体が支柱フレームと前記縦枠との間の見付け方向に相対移動するため、支柱フレームと取付姿勢調整具との間の離間寸法を調整することができ、ひいては、取付姿勢調整具と当接する縦枠と、支柱フレームとの間の離間寸法を調整し、枠体の取付姿勢を修正することができる。
【００１１】
また、ねじ調整は非熟練作業者でも容易に作業ができ、しかもねじ調整なら微妙な調整ができるため、高精度な作業が可能となる。また、取付姿勢調整具は、ブロック状の調整具本体とねじのみよりなる簡易形状であるため、部品点数や組立工数の増加を招くことがない。さらに、枠体取付時に、取付姿勢調整具の突起部を支柱フレームのスリットに係合させて仮設置することによって、枠体の凡その位置決めを迅速かつ容易に行うことができる。よって、本設固定も容易かつ正確に行うことができる。
【００１６】
この場合、縦枠は、取付姿勢調整具を装着するための装着部を有し、調整具本体は、縦枠の小口から装着部に挿入装着可能な係合部を有し、装着部と係合部とは、取付姿勢調整具が装着部に対し見付け方向に抜け落ちるのを防止できる係合構造とすることが、好ましい。
【００１７】
この構成によれば、取付姿勢調整具を縦枠の小口から挿入することによって、迅速かつ容易に装着することができる。
【００１８】
これらの場合、縦枠には、取付姿勢調整具の調整ねじの螺設位置に対応させて、回転操作用の開口部が設けられていることが、好ましい。
【００１９】
この構成によれば、浴室ドアなどの障子側から取付姿勢調整具のねじ調整を行うことができ、作業性が向上する。
【００２０】
【発明の実施の形態】
以下、図に従って、本発明の一実施形態について説明する。なお、本実施の形態では、浴室用折戸を障子の一例として説明する。この浴室用折戸が設けられた浴室は、脱衣室との間に段差を無くしたバリアフリー設計のユニットバスで構成されており、浴室用折戸の下枠も、浴室床および脱衣室床とほぼ段差の無い構造となっている。
【００２１】
図１の縦断面図および図２の横断面図に示すように、浴室用折戸１は、枠体２に左扉体３ａおよび右扉体３ｂから成る扉体３を組み込んで構成され、左扉体３ａと右扉体３ｂとは、突き合わせた状態で、連結部材４を介して中折れ自在に連結されている。この場合、浴室用折戸１は、左右の両扉体３ａ，３ｂが浴室Ａ側に折り込まれることにより開放し、折り込んだ状態から左右の両扉体３ａ，３ｂが脱衣室Ｂ側に展開されることにより閉塞する。
【００２２】
枠体２は、アルミニウムの形材で構成された上枠１１、下枠１２および両縦枠１３を枠組みして成り、浴室Ａの開口部に取り付けられている。上枠１１は、浴室Ａ側が立ち上がっていて全体として略「Ｌ」字状に形成され、水平部分の中間位置には、浴室Ａ側に両扉体３ａ，３ｂの開閉を案内する上ガイドレール１４が、脱衣室Ｂ側に上枠シール取付部１５が、それぞれ一体に垂設されている。そして、上枠シール取付部１５には、扉体３に向かって延びる上シール部材１６が取り付けられている。
【００２３】
同様に、下枠１２は、下枠中空部１７と、下枠中空部１７の上端からクランク状に脱衣室Ｂ側に延びる下枠見切り部２１と、下枠中空部１７の上端に立設した下ガイドレール２２と、下ガイドレール２２から浴室Ａ側に水平に延びるパン連結部２３とで、一体に形成されている。下枠見切り部２１の立上げ部分には、下枠シール取付部２４が形成され、下枠シール取付部２４には、扉体３に向かって延びる下シール部材２５が取り付けられている。
【００２４】
左右の各縦枠１３は、浴室Ａ側が額縁状に折り曲げられていて全体として略「Ｌ」字状に形成され、脱衣室Ｂ側の中間部分には、縦枠シール取付部１３ａが直角に延設されている。また、縦枠シール取付部１３ａには、扉体３に向かって延びる縦シール部材２６が取り付けられている。この縦枠１３については後段でさらに詳述する。そして、これら上シール部材１６、下シール部材２５および両縦シール部材２６により、左右両扉体３ａ，３ｂと枠体２との間が四周に亘ってシールされている。
【００２５】
左右各扉体３ａ，３ｂは、アルミニウムの形材で構成された上框３１、下框３２および中桟３３に、縦框３４および連結縦框３５とを框組みすると共に、これに樹脂製の上下のパネル体３６を嵌め込んで構成されている。中桟３３には、脱衣室Ｂ側に引手部３７が一体に形成され、浴室Ａ側に引手を兼ねるタオル掛け３８が取り付けられている。
【００２６】
各扉体３ａ，３ｂの下框３２には、室内外を連通する開閉機構付きの換気ガラリ４１が形成されている。また、左扉体３ａの連結縦框３５にはラッチ機構４２が、右扉体３ｂの連結縦框３５には閉塞ロック機構４３が組み込まれている。さらに、各扉体３ａ，３ｂの縦框３４には、後述する上スライダ４９ａを上ガイドレール１４から離脱させる離脱機構４４が組み込まれている。
【００２７】
各扉体３ａ，３ｂの下框３２には、その下端部の浴室Ａ側に浴室側シール部材４５が、また脱衣室Ｂ側に脱衣室側シール部材４６が取り付けられている。同様に、各縦框３４には、縦枠１３に密接する横向きシール部材４７が取り付けられている。
【００２８】
一方、各扉体３ａ，３ｂの縦框３４には、上下のピンヒンジ（グラビティヒンジ）４８，４８を介して上スライダ４９ａおよび下スライダ４９ｂがそれぞれ取り付けられ、各扉体３ａ，３ｂはこの上スライダ４９ａおよび下スライダ４９ｂにより、上ガイドレール１４および下ガイドレール２２に、それぞれスライド自在に支持されている。ただし、右扉体３ｂの上下両スライダ４９ａ，４９ｂは、上下両ガイドレール１４，２２に固定されている。これにより、浴室用折戸１は、左扉体３ａと右扉体３ｂとが枠体２の幅いっぱいに横に並んだ閉扉位置と、左扉体３ａに右扉体３ｂを重ねるように折り畳んだ開扉位置との間で、開閉される。
【００２９】
図３の横断面図は、壁開口の左右両側に立設した二本の支柱フレーム５と、縦枠１３との取付部分の拡大図である。これらの支柱フレーム５の一側面には、縦方向にスリット５１が開設され、その両側には鋭角な折返し部５２が形成されている。本発明は、これらの支柱フレーム５に、取付姿勢調整具６を介して、枠体２を取り付ける技術に関する。
【００３０】
次に、取付姿勢調整具６について説明する。図３、４に示すように、取付姿勢調整具６の調整具本体６１はブロック状に形成され、その一端面が縦枠１３に当接して配備される。図４における長手方向の寸法は、施工条件等に合わせて適宜選択する。材質としては、後述の突起部６２に可撓性を持たせるために、合成樹脂などを用いるとよい。
【００３１】
また調整具本体６１には、後述の枠体２の縦枠１３の小口から挿入装着可能な係合部を設ける。例えば、縦枠１３の見込み方向両端の対向する二つの面側に、溝部６１ａとフランジ部６１ｂとを形成して係合部とする。
【００３２】
調整具本体６１の縦枠１３との当接面とその対向面間には、これらの面と直交方向に、即ち、調整具本体６１に対して枠体２の見付け方向に貫通させてねじ孔６３を穿設する。また、縦枠１３との当接面側には、ねじ孔６３よりも大径の凹部６３ａと、さらに大径の凹部６３ｂを形成し、後述の調整ねじ６４の頭部を収納して着座できるよう構成する。
【００３３】
調整ねじ６４は、ねじ孔６３内に螺合可能であり、かつその頭部は凹部６３ａ、６３ｂ内に完全に収納できるものである。また、調整ねじ６４のねじ部の長さは、図３に示すように、ねじ部の先端が取付姿勢調整具６を貫通して突出し、先端面が支柱フレーム５の側面に当接する長さとする。即ち、取付姿勢調整具６と支柱フレーム５との間の見付け方向の離間寸法を調整できる余裕を持たせておく。
【００３４】
従って、調整ねじ６４を、その先端面を支柱フレーム５の側面に当接させた状態で回転させると、調整具本体６１が支柱フレーム５と縦枠１３との間の見付け方向に相対移動するため、支柱フレーム５と調整具本体６１との間の離間寸法を調整することができる。その結果、調整具本体６１と当接する縦枠１３と、支柱フレーム１３との間の離間寸法を調整できる。なお、上記の調整ねじ６４による調整手段は、図４に示すように、一つの取付姿勢調整具６に複数設けることも考えられる。
【００３５】
突起部６２は、溝部６１ａに隣接して、調整具本体６１の支柱フレーム５側に突出し、その先端部には内側に折り曲げて形成した折曲げ部６２ａを有する。即ち、横断面が略コの字状や略Ｌ字状になるよう構成することが好ましい。
【００３６】
折曲げ部６２ａは、図３に示すように、支柱フレーム５のスリット５１内に挿入し、一方の折返し部５２と係合させるためのものである。ここで、前述したように、取付姿勢調整具６は、支柱フレーム５に対して、位置調整のために離隔、接近動作を行う。そのため、突起部６２ａには、その動作に追随できる可撓性を付与する必要がある。
【００３７】
そこで、突起部６２の材質を前述したように合成樹脂で形成するか、突起部６２の形状や厚さなどを、所要の可撓性を付与できるよう設計することも考えられる。
【００３８】
なお、突起部６２を形成しない場合もある。この場合は、取付姿勢調整具６と支柱フレーム５とは係合しない取付構造となる。またこの場合には、取付姿勢調整具６を縦枠１３に装着しなくてもよい。
【００３９】
次に、縦枠１３について説明する。図３に示すように、縦枠１３の浴室Ａ側面の背面にこれと直角方向に突設したＩ字状の保持片１３ｂと、縦枠１３の建具取付側面の背面に保持片１３ｂと先端同士が向き合うように突設したＬ字状の保持片１３ｃとよりなる装着部を有している。これらは、それぞれ取付姿勢調整具６の溝部６１ａ、フランジ部６１ｂに係合して、取付姿勢調整具６を縦枠１３に装着することができ、かつ取付姿勢調整具６が縦枠１３の装着部に対し見付け方向に抜け落ちるのを防止している。
【００４０】
装着する場合は、取付姿勢調整具６を、縦枠１３の小口から挿入し、保持片１３ｂ、１３ｃを溝部６１ａ、フランジ部６１ｂに係合させるだけで、迅速かつ容易に行える。
【００４１】
また、縦枠１３の一方端には、取付姿勢調整具６の突起部６２の外側面に当接する当接片１３ｄを設ける。さらに、縦枠１３の取付姿勢調整具６の凹部６３ｂに対応する位置、即ち調整ねじ６４の螺設位置に対応する位置には、ドライバーなどの工具が挿入可能な回転操作用の開口部１３ｅを開設する。これによって、図１に示すように、扉体３の取付位置側から、枠体２の取付姿勢の調整が可能となる。
【００４２】
以下、建具枠体の取付方法について説明する。まず、枠体２の縦枠１３に、取付姿勢調整具６を上述のように装着する。この場合、縦枠１３の上下方向に亘って、一つあるいは複数の所要数を装着する。
【００４３】
次に、取付姿勢調整具６の突起部６２を、支柱フレーム５のスリット５１内に係合させ、枠体２の凡その位置決め行い、支柱フレーム５に建て付けた状態で保持させる。
【００４４】
そして、縦枠１３の開口部１３ｅから工具を挿入して調整ねじ６４を回転させ、取付姿勢調整具６を相対移動させて、支柱フレーム５と縦枠１３との間の見付け方向の離間寸法を調整する。
【００４５】
以上のように、一つあるいは複数の取付姿勢調整具６の調整を行って、枠体２の取付姿勢を調整する。調整終了後は、凹部６３ｂを防護キャップ６５で閉塞する。そして、図５に示すように、取付ビス７により、縦枠１３、取付姿勢調整具６、支柱フレーム５を一体に締め付け、枠体２の壁開口への取付作業を終了する。なお、取付ビス７は、調整ねじ６４の螺設位置を外した位置にねじ込む。
【００４６】
図中８は壁パネルであり、その折曲げ部８１を、支柱フレーム５のスリット５１に係合して枠体２と面一に配置し、縦枠１３との間にコーキング材８２を詰めてシールを図る。
【００４７】
図６は、その他の実施の形態であり、建具枠体２の両縦枠１３にそれぞれ取付姿勢調整具９を装着して、建具枠体２を二本の支柱フレーム５間に取り付ける場合である。この場合、取付姿勢調整具９は、その支柱フレーム５側の面に、支柱フレーム５の側面に圧接して、建具枠体２を支柱フレーム５間に保持する保持部９１を有する。
【００４８】
この保持部９１は、例えば、支柱フレーム５側の面に凹設した凹部９１ａと、この凹部９１ａ内に突出する弾性を有するアーム９１ｂと、このアーム９１ｂの先端の支柱フレーム５側に突設した圧接突起９１ｃとで構成される。なお、取付姿勢調整具９全体を合成樹脂製にし、アーム９１ｂをそれと一体成型すれば弾性が付与される。
【００４９】
また、図示しないが、取付姿勢調整具を中空に形成し、その支柱フレーム５側の面に切欠を設け、その切欠内に上記のように弾性を有するアームを突設し、かつ圧接突起を形成してもよい。但し、調整ねじ６４や取付ビス７を螺合する部分は肉厚にするか、中実に形成しておくとよい。そして、建具枠体２は、その両縦枠１３に取付姿勢調整具９を装着した状態で、支柱フレーム５間に圧入され、保持部９１の圧接突起９１ｃが両支柱フレーム５の側面に圧接するため、建具枠体２を建て付けた状態で保持し、仮設置することが可能となる。
【００５０】
なお、保持部９１を設ける場合は、上記実施の形態の突起部６２は不要である。また、保持部の構造は上記のものに限らず、コイルばねや板ばね等のばね力により支柱フレーム５の側面に圧接する構造のものなど、要は、所定の圧接力で支柱フレーム５の側面に圧接し、建具枠体２を保持できる構造であればよい。さらに、取付姿勢調整具９を縦枠１３に装着するための係合構造や、調整ねじ６４を用いた支柱フレーム５との間の間隙調整構造などは、上記実施の形態と同様である。
【００５１】
【発明の効果】
以上に述べたように本発明によれば、枠体の取付姿勢の調整を容易かつ高精度に行うことができる。そのため、枠体に取り付けるドアや窓などの障子の施工も信頼性の高いものとなる。
【００５２】
しかも、上記のような優れた効果が得られるうえに、部品点数や組立工数の増加を招くことがないため、低コストと高い作業能率を維持することができる。
【図面の簡単な説明】
【図１】本発明の一実施形態の建具枠体の取付構造の縦断面図である。
【図２】図１の建具枠体の取付構造の横断面図である。
【図３】取付姿勢調整具と支柱フレームとの取付構造の拡大図である。
【図４】取付姿勢調整具の斜視図である。
【図５】取付姿勢調整具と支柱フレームとの取付構造の拡大図である。
【図６】保持部を有する取付姿勢調整具と支柱フレームとの取付構造の拡大図である。
【図７】従来の建具枠体の取付構造の横断面図である。
【図１】
0003595245.tif 000002
【図２】
0003595245.tif 000003
【図３】
0003595245.tif 000004
【図４】
0003595245.tif 000005
【図５】
0003595245.tif 000006
【図６】
0003595245.tif 000007
【図７】
0003595245.tif 000008